(57)【要約】  【課題】  例えば光源を発光させることなく、コストアップの抑制を図りながらも簡易な機構によって、スキャナー（第１スキャナー・第２スキャナー等）の固定状態を判定できる画像読み取り装置を提供する。  【解決手段】  駆動モーター２４によって第１スキャナー３９がホームポジションに到達したとき、第１スキャナー３９の一部（ランプキャリッジ３４の突起部３５）に接触することで、第１スキャナー３９の移動を固定する固定部材１を、ハウジング５５に設ける。さらに、その固定部材１にセンサー７を設け、そのセンサー７が、第１スキャナー３９がホームポジションに到達したか否かの検知と、第１スキャナー３９が固定されているか否かの検知とを行うようにする。【選択図】      図１
2005221732.tif 000002
【特許請求の範囲】
【請求項１】
筐体に配設される原稿載置部に沿って移動するスキャナーと、このスキャナーを移動させる動力部とを含む画像読み取り装置において、
上記動力部によって上記スキャナーがホームポジションに到達したとき、上記スキャナーの一部に接触することで、上記スキャナーを固定する固定部材が、上記筐体に設けられるとともに、その固定部材に検知部が設けられており、
上記検知部は、上記スキャナーがホームポジションに到達したか否かの検知と、上記スキャナーが固定されているか否かの検知とを行うことを特徴とする画像読み取り装置。
【請求項２】
上記検知部の検知反応であるＯＮまたはＯＦＦを利用して、上記スキャナーがホームポジションに到達したか否かの判定と、上記スキャナーが固定されているか否かの判定とを行う制御部が設けられており、
上記制御部は、検知反応がＯＮになったとき上記スキャナーがホームポジションに到達したものと判定し、検知反応がＯＦＦになったとき上記スキャナーがホームポジションに到達していないものと判定するとともに、
上記固定部材による固定動作に応じて検知反応が続けてＯＮ、ＯＦＦになると、上記スキャナーが固定されているものと判定し、上記固定部材による固定解除動作に応じて検知反応が続けてＯＦＦ、ＯＮになると、上記スキャナーが固定されていなものと判定することを特徴とする請求項１に記載の画像読み取り装置。
【請求項３】
上記制御部は、上記スキャナーが固定されているとき、上記動力部を不動とする一方、上記スキャナーが固定されていないとき、上記動力部を可動とすることを特徴とする請求項２に記載の画像読み取り装置。
【請求項４】
上記スキャナーが固定されているか否かを表示する表示部が設けられており、
上記制御部は、上記スキャナーが固定されているとき、上記表示部に上記スキャナーが固定されている旨を表示させる一方、上記スキャナーが固定されていないとき、上記表示部に上記スキャナーが固定されていない旨を表示させることを特徴とする請求項２または３に記載の画像読み取り装置。
【発明の詳細な説明】
【技術分野】
【０００１】
本発明は、パーソナルコンピューター（ＰＣ）の周辺機器として用いられる単体としての画像読み取り装置や、複写機やファクシミリ等に搭載されている原稿画像を読み取るイメージスキャニングユニット（画像読み取り装置）に関するものである。
【背景技術】
【０００２】
一般的に、画像読み取り装置では、光源が原稿の画像面に対して光を照射し、その画像面からの反射光を複数のミラーが反射させながら集光レンズを通してＣＣＤ等の読み取りデバイスに導き入れる。そして、この読み取りデバイスが反射光を電気信号へと変換するようになっている。
【０００３】
そして、この原稿（画像）読み取り動作においては、種々の原稿サイズに対応すべく、画像読み取り装置を構成するハウジング内において、光源・第１ミラー等を含んで構成される第１スキャナーと、複数のミラー（第２・第３ミラー）を含んで構成される第２スキャナーとが、ホームポジションから相互に独立しながらも、連帯してコンタクトガラスに沿って往復移動できるようになっている。
【０００４】
このような第１・第２スキャナーの滑らかな（スムーズな）移動を実現するために、両スキャナーは、コンパクトかつ軽量に作られている。そのため、例えば画像読み取り装置を輸送するときに、過度の振動や衝撃等が、それらに加わると変形・破損等してしまうことがある。そこで、第１・第２スキャナーをある固定位置（走査方向において、ホームポジションからさらにハウジングの側壁に近づいた位置）において、固定する方法が提案されている。
【０００５】
しかしながら、画像読み取り装置の輸送のため、一旦第１・第２スキャナーを固定した後、その固定解除を忘れ、固定状態のまま画像読み取り装置を作動させ、破損等させてしまう事態がある。
【０００６】
かかる事態を防止すべく、例えば第１・第２スキャナーの固定状態の有無をユーザー等が容易に確認できる画像読み取り装置が種々提案されている。例えば図１０に示す画像読み取り装置１６９では、第２スキャナー１４９の第３ミラー１４２に接触させることのできる突起状の固定部１０１を設けて、第１・第２スキャナー１３９・１４９を固定させるとともに、ＣＣＤ１５２に入射する光量が、固定部１０１によって遮られて減少することを利用して、固定状態の有無を判定できるようになっている。
【特許文献１】特開２００３−２３５１６号公報（請求項１、段落〔００３８〕、段落〔００３９〕参照）
【発明の開示】
【発明が解決しようとする課題】
【０００７】
しかしながら、特許文献１の画像読み取り装置１６９では、固定状態の有無を判定するために、原稿を読み取らないにもかかわらず、第１スキャナー１３９の光源１３１を発光させなくてはならない。そのため、固定状態の有無の判定に要する消費電力が大きくなってしまう。その上、原稿の読み取り以外にも光源１３１を発光させることから、光源１３１自体の寿命も短くなってしまう。
【０００８】
また、例えば固定状態を判定するためのセンサー等をハウジングの固定位置近傍に別個に設けようとするならば、通常設けられているホームポジションセンサーとあいまって、画像読み取り装置のコストアップの原因にもなる。
【０００９】
本発明は、上記の問題点を解決するためになされたものであって、その目的は、光源を発光させることなく、コストアップの抑制を図りながらも簡易な機構によって、スキャナー（第１スキャナーや第２スキャナー等）の固定状態を判定できる画像読み取り装置を提供することにある。
【課題を解決するための手段】
【００１０】
本発明の画像読み取り装置は、筐体に配設される原稿載置部に沿って移動するスキャナーと、このスキャナーを移動させる動力部とを含む画像読み取り装置であって、上記動力部によって上記スキャナーがホームポジションに到達したとき、上記スキャナーの一部に接触することで、上記スキャナーを固定する固定部材が、上記筐体に設けられるとともに、その固定部材に検知部が設けられており、上記検知部は、上記スキャナーがホームポジションに到達したか否かの検知と、上記スキャナーが固定されているか否かの検知とを行うことを特徴としている。
【００１１】
これによると、本発明の画像読み取り装置では、動力部によって移動するスキャナーが、例えば画像読み取り動作（スキャン動作）を完了しホームポジションに到達したとき、固定部材でそのスキャナーを固定することができる。その上、固定部材に設けた検知部が、スキャナーがホームポジションに到達したか否かを検知できる。そのため、例えばサービスマン等が、画像読み取り装置を運搬等するとき、スキャナーがホームポジションに到達していることを確認した後に、固定部材でスキャナーを固定することができる。
【００１２】
さらに、検知部は、スキャナーが固定されているか否かも検知できる。そのため、例えばユーザー等が、スキャナーは固定されていることを確認した場合、画像読み取り装置のスキャン動作を行ってはならないことを認識できる。つまり、誤ってユーザー等が固定されたスキャナーを無理に移動させようとし（画像読み取り装置のスキャン動作を開始させようとし）、動力部に過剰な負荷をかけて破損させてしまうような事態を防止できる。
【００１３】
つまり、本発明の画像読み取り装置では、スキャナーの固定状態の判定するために別個の検知部を設けることなく、固定部材に設けられた１つ検知部で、スキャナーのホームポジションの検知と、そのスキャナーの固定状態の検知とを行うことができる。つまり、１つの検知部が２つの検知機能を有するようになっている。そのため、簡単な機構で画像読み取り装置のコストアップの抑制も図れる。
【００１４】
また、本発明の画像読み取り装置では、上記検知部の検知反応であるＯＮまたはＯＦＦを利用して、上記スキャナーがホームポジションに到達したか否かの判定と、上記スキャナーが固定されているか否かの判定とを行う制御部が設けられており、上記制御部は、検知反応がＯＮになったとき上記スキャナーがホームポジションに到達したものと判定し、検知反応がＯＦＦになったとき上記スキャナーがホームポジションに到達していないものと判定するとともに、上記固定部材による固定動作に応じて検知反応が続けてＯＮ、ＯＦＦになると、上記スキャナーが固定されているものと判定し、上記固定部材による固定解除動作に応じて検知反応が続けてＯＦＦ、ＯＮになると、上記スキャナーが固定されていなものと判定することが好ましい。
【００１５】
本発明の画像読み取り装置に用いる検知部は、ＯＮまたはＯＦＦの２種類の検知反応を示す簡易なものである。例えば検知部が受光式の光学センサーであれば、遮光されることを検知反応ＯＮ、受光することを検知反応ＯＦＦと定義する。すると、制御部は、上記スキャナーがホームポジションに近づくように移動したときに、例えばスキャナーに設けた遮光板で遮光されること（検知反応のＯＮ）をもって、そのスキャナーがホームポジションに到達したものと判定できる。一方、上記スキャナーがホームポジションから解離するように移動したときは、例えばスキャナーの遮光板も検知部から離れる。そのため、制御部は、受光すること（検知反応のＯＦＦ）をもって、そのスキャナーがホームポジションから離脱したものと判定できる。
【００１６】
また、固定部材が、固定する動作（固定動作）として、例えばスキャナーの移動方向に対して垂直移動（スライド）するようになっていれば、固定部材がスライドしてスキャナーの一部を接触固定する動きとともに、その固定部材の検知部から遮光板が解離するようになる。そのため、検知部は、再度受光するようになる（検知反応がＯＮからＯＦＦになる）。そこで、固定動作のために、検知反応が続けてＯＮ、ＯＦＦになることをもって、上記スキャナーの移動が固定されているもの判定できる。
【００１７】
また、スキャナーの固定を解除する動作（固定解除動作）では、固定部材は、スキャナーの一部から離間するようにスライドするため、再び遮光板が検知部に近づくようになる。そのため、検知部は、再度遮光されるようになる（検知反応がＯＦＦからＯＮになる）。そこで、固定解除動作のために、検知反応が続けてＯＦＦ、ＯＮになることをもって、上記スキャナーの移動の固定が解除されているもの判定できる。
【００１８】
つまり、本発明の画像読み取り装置では、ＯＮまたはＯＦＦの２種類の検知反応を示す簡易な検知部であっても、ＯＮとＯＦＦとの検知反応のタイミングで、スキャナーがホームポジションに到達したか否かの判定と、上記スキャナーが固定されているか否かの判定とができる。そのため、例えば複雑な機構を有する検知部を設ける必要はない。なお、遮光されることを検知反応ＯＦＦ、受光することを検知反応ＯＮと定義しても同様の効果を得られる。
【００１９】
また、本発明の画像読み取り装置では、上記制御部は、上記スキャナーが固定されているとき、上記動力部を不動とする一方、上記スキャナーが固定されていないとき、上記動力部を可動とすることが好ましい。
【００２０】
これによると、ユーザー等が、スキャナーが固定されているにもかかわらず、誤って画像読み取り装置のスキャン動作を行おうとしても、スキャナーが動くことはあり得ず、動力部、ひいては画像読み取り装置が破損する事態を防止できる。
【００２１】
また、本発明の画像読み取り装置では、上記スキャナーが固定されているか否かを表示する表示部が設けられており、上記制御部は、上記スキャナーが固定されているとき、上記表示部に上記スキャナーが固定されている旨を表示させる一方、上記スキャナーが固定されていないとき、上記表示部に上記スキャナーが固定されていない旨を表示させることが好ましい。
【００２２】
これによると、ユーザー等は、画像読み取り装置のスキャン動作を始める前に、スキャナーの状態（固定されているか否か）について、視覚で認識することができ、誤って画像読み取り装置のスキャン動作を行い、動力部、ひいては画像読み取り装置が破損する事態を防止できる。
【発明の効果】
【００２３】
本発明の画像読み取り装置によれば、固定部材に設けられた１つ検知部に、スキャナーのホームポジションの検知と、そのスキャナーの固定状態の検知とを行えるようにすることで、複数の検知部を設けることなく、かつ簡単な機構でスキャナーの固定状態を検知できる。
【発明を実施するための最良の形態】
【００２４】
本発明の実施の一形態について、図面に基づいて説明すれば、以下の通りである。
【００２５】
本発明の画像読み取り装置は、ＰＣの周辺機器として用いられる単体としての画像読み取り装置や、複写機やファクシミリ（画像形成装置）等のイメージスキャニングユニット（ＩＳＵ）として用いられるものである。そして、図３は、この本発明の画像読み取り装置６９の概略構成図である。なお、図３では、紙面の裏側が、画像読み取り装置６９の奥側（リア側）の方向（Ｐ方向）とし、「Ｐ○」と明示し、紙面の表側が画像読み取り装置６９の手前側（フロント側）の方向（Ｑ方向）とし、「Ｑ●」と明示する。
【００２６】
また、画像読み取り装置６９による画像読み取り動作（スキャン動作）終了後の第１・第２スキャナー３９・４９（後述）の停止位置をホームポジション（所定の位置）とする。
【００２７】
画像読み取り装置６９は、コンタクトガラス（原稿載置部）６１、原稿押さえ６２、光照射部３１、反射板３２、第１ミラー３３、第２ミラー４１、第３ミラー４２、レンズ集合部５１、固体撮像部（ＣＣＤ）５２、ハウジング（筐体）５５、および表示部２５（図５参照）を含むものである。
【００２８】
コンタクトガラス６１は、原稿を載置するもので透明な部材からできている。原稿押さえ６２は、コンタクトガラス６１上に載置された原稿を押さえつけるものである。
【００２９】
光照射部３１は、コンタクトガラス６１の下方から原稿の画像面に向けて光を照射するＬＥＤアレイや蛍光管ランプ等の光源である。反射板３２は、光照射部３１からの光を効率良く原稿の画像面に照射させるためのものである。第１ミラー３３は、原稿の画像面で反射された原稿の反射光を直接受けて反射させるものである。なお、光照射部３１・反射板３２・第１ミラー３３はランプキャリッジ３４上に一体的に固定されており、これらを第１スキャナー（スキャナー）３９とする。
【００３０】
なお、ランプキャリッジ３４（第１スキャナー３９）には、図４に示すように、後述する固定部材のセンサーの検知対象となる遮光板３６と、固定部材により接触固定される突起部３５（第１スキャナー３９の一部）とが設けられている。
【００３１】
第２ミラー４１は、第１ミラー３３からの反射光を受けて反射させるものであり、第３ミラー４２は、この第２ミラー４１からの反射光を受けて反射させるものである。なお、第２ミラー４１・第３ミラー４２はミラーキャリッジ４４上に一体的に固定されており、これらを第２スキャナー（スキャナー）４９とする。
【００３２】
なお、図３では、原稿の反射光の光路（反射光路Ｗ）を明示するために、ランプキャリッジ３４・ミラーキャリッジ４４における反射光路Ｗを確保するための空間を明示している。また、第１スキャナー３９と第２スキャナー４９とは、相互に独立しているが、連帯してコンタクトガラス６１に沿って往復移動可能（走査移動可能）となっており、矢印Ｘ方向・Ｙ方向（走査方向）に移動できる。なお、第１・第２スキャナー３９・４９を移動させるための駆動モーター（動力部）２４（図５参照）が画像読み取り装置６９内部に設けられている。また、以下では、第１スキャナー３９・第２スキャナー４９を光学系と表現する。
【００３３】
レンズ集合部５１は、第３ミラー４２からの反射光を導入して固体撮像部５２に集光させるものである。固体撮像部５２は、レンズ集合部５１により集光された原稿反射光Ｗを受光して電気信号（画像データ）に変換するものであり、光変換素子を含む構成である。なお、レンズ集合部５１・固体撮像部５２は、原稿反射光の結像位置が固体撮像部５２の光電変換素子上に一致するよう調整された状態で、ベースプレート５３上に取り付けられている。
【００３４】
ハウジング５５は、上記の光学系等を収容する箱状体のフレームである。表示部２５は、ユーザー等に対して、画像読み取り装置６９の情報、例えば画像の読み取りができない状態である等の情報を通知（表示）するものである。
【００３５】
ここで、本発明の特徴的な構成について説明する。本発明の画像読み取り装置６９では、第１スキャナー３９のホームポジションに近接するハウジング５５の側壁５５ａ（５５）に移動可能な（スライド可能な）板状の固定部材１が設けられている。そして、この固定部材１が、上述のランプキャリッジ３４（第１スキャナー３９）を固定（接触固定）するようになっている。その上、この固定部材１にはセンサー（検知部）７（図１・図２参照）が設けられており、そのセンサーは、第１スキャナー３９がホームポジションに位置するか否かを検知するとともに、固定部材１によって第１スキャナー３９が固定されているか否かの検知をするようになっている。
【００３６】
そして、さらに、センサー７に繋がった制御部２１（図５参照）は、第１スキャナー３９の固定状態（第１スキャナー３９が固定されているか否かについて）を判定（認識）するとともに、固定部材１にてその第１スキャナー３９が固定されている場合には、駆動モーター２４をロックするようになっている。（駆動モーター２４を駆動防止状態にするようになっている）。また、制御部２１は、駆動モーター２４を一旦ロックした後に、第１スキャナー３９の固定が解除されれば、その駆動モーターのロック（駆動ロック）を解除するようになっている（駆動モーター２４を駆動可能状態にするようになっている）。
【００３７】
なお、本実施形態では、上記のように第１スキャナー３９を用いて説明しているが、これに限定されることなく、第２スキャナー４９が固定されるようにしても構わないし、第１・第２スキャナー３９・４９を同時に固定されるようにしても構わない。また、本発明の画像読み取り装置６９では、第１スキャナー３９を固定することで、第１スキャナー３９の側端部とハウジング５５の側壁５５ａとで、第２スキャナー４９を挟持して固定するようになっている。
【００３８】
図１・図２は、固定部材１を示している。なお、図２（ａ）は、図１の矢視Ａ−Ａ’からの側面図であり、便宜上、係合部３（後述）を重点的に表現している。また図２（ｂ）は、図１の矢視Ｂ−Ｂ’からの側面図であり、便宜上、センサー７を重点的に表現している。
【００３９】
固定部材１では、その固定部材１の移動方向（Ｐ方向・Ｑ方向）と同方向に長手を有する第１平板２に、第１スキャナー３９を接触固定するための係合部３と、第１スキャナー３９の位置等を判定するためのセンサー７と、ユーザー等が固定部材１をスライドさせるための取手部６とが備えられている。
【００４０】
係合部３は、第２平板３ａ（３）と２つの立設部３（３ｃ・３ｃ）とから構成されている。第２平板３ａは、第１平板２の側面（画像読み取り装置６９の内部に向く側面）２ａに対して垂直に設けられる（垂設される）とともに、その第２平板３ａの下面３ｂの法線が、固定部材１の移動方向（Ｐ方向・Ｑ方向）に対して垂直になるように配設されている。そして、この第２平板３ａの下面３ｂに、２つの立設部３ｃ・３ｃが、垂れ下がるように（下垂するように）設けられるとともに、この２つの立設部３ｃ・３ｃの互いに向き合う側壁同士が離れるように配設されている。
【００４１】
そして、これらの２つの立設部３ｃ・３ｃの側壁を離すように配設することで生じる溝４が、ランプキャリッジ３４の突起部３５（図３・図４参照）を挟持（接触固定）するようになっている。なお、これらの溝４の溝幅は一定である必要はなく、図１に示すように、ランプキャリッジ３４の突起部３５と最初に接触する側の溝幅を広くするようにして、係合部３と突起部３５とが係合し易いように構成しても構わない。
【００４２】
センサー７は、発光部７ａ（７）と受光部７ｂ（７）とから構成されており、その発光部７ａの発光面と、受光部７ｂの受光面とが一定の間隔を有するように配設されている。そして、発光部７ａのセンサー光線Ｖが受光部７ｂに到達するか否かによって（検知反応のＯＮまたはＯＦＦによって）、第１スキャナー３９がホームポジションに位置するか否かを検知する。
【００４３】
つまり、発光部７ａと受光部７ｂとの一定間隔に、ランプキャリッジ３４の遮光板３６（図４参照）が位置して、受光部７ｂにセンサー光線Ｖが到達しないとき（検知反応がＯＮのとき）、第１スキャナー３９がホームポジションに位置すると検知するようになっている。一方、センサー７（発光部７ａと受光部７ｂとの一定間隔）から、遮光板３６が離れていき、受光部７ｂにセンサー光線Ｖが到達するとき（検知反応がＯＦＦのとき）、第１スキャナー３９がホームポジションに位置しないと検知するようになっている。
【００４４】
その上、画像読み取り動作（スキャン）完了後、固定部材１の第１スキャナー３９の固定状態（第１スキャナー３９が固定されているか否か）を検知できるようになっている（詳細は後述）。なお、センサー７の機構は、上述のような光学式のセンサーに限定されず、第１スキャナー３９がホームポジションに位置するか否かが検知できるようなセンサーであればどのようなセンサーであっても構わない。
【００４５】
取手部６は、特に形状は限定されることはないが、サービスマン等がさわれる位置、例えば第１平板２の外側の側面（画像読み取り装置６９の外部に向く側面）に突起するように設けることが好ましい。
【００４６】
なお、固定部材１は、上述のように移動可能となっており、例えば画像読み取り装置６９の側壁（ハウジング５５の側壁５５ａ）を、手前から奥へ（Ｐ方向）、奥から手前へ（Ｑ方向）と往復移動（スライド）できるようになっている。そして、このような往復移動を可能とする機構としては、図３に示すように、例えばハウジング５５の側壁５５ａに開口を設けるとともに、その側壁５５ａに対向する屈折部５６を、ハウジング５５（画像読み取り装置６９）の内側に設け、固定部材１の第１平板２を挟持するようにすればよい。
【００４７】
ただし、固定部材１の移動機構は上述の機構に限定されず、画像読み取り装置６９の側壁５５ａをスライドできるものであればどのような機構であっても構わない。また、固定部材１の形状も上述の板状のものに限定されない。要は、係合部３とセンサー７とが設けられ、第１スキャナー３９を固定できるとともに、その第１スキャナー３９の位置（ホームポジション）および第１スキャナー３９の固定状態を判定できるような機能を有する固定部材１であればどのような形状であっても構わない。
【００４８】
次に、制御部２１について説明する。図５に示すように、制御部２１は、スキャン動作管理部２２と、位置管理部２３とから構成されている。
【００４９】
スキャン動作管理部２２（制御部２１）は、画像読み取り装置６９の画像読み取り動作（スキャン動作）を管理するものである。例えばユーザー等がスキャンスタートボタン（不図示）を押したとき、スキャン動作管理部２２は、第１スキャナー３９を移動させる駆動モーター２４を駆動させる。その上、固定部材１のセンサー７（発光部７ａと受光部７ｂとの間隔）から第１スキャナー３９（遮光板３６）が離れて走査移動するため、受光部７ｂにセンサー光線Ｖが到達することになる（検知反応がＯＦＦになる）。そこで、スキャン動作管理部２２（制御部２１）は、センサー７の受光をもって、第１スキャナー３９はホームポジションに位置しないと判定する。
【００５０】
また、画像読み取り動作が完了するとき、スキャン動作管理部２２は、駆動モーター２４を停止させる。その上、第１スキャナー３９が、ホームポジション近傍のセンサー７に近づくように走査移動してくるので、受光部７ｂにセンサー光線Ｖが到達しないようになる（検知反応がＯＮになる）。そこで、スキャン動作管理部２２（制御部２１）は、センサー７のセンサー光線Ｖが遮光されることをもって、第１スキャナー３９はホームポジションに位置すると判定する。なお、スキャン動作管理部２２は、画像読み取り動作が完了した場合、その旨を位置管理部２３に送信するようになっている。
【００５１】
位置管理部２３（制御部２１）は、固定部材１（図１参照）のセンサー７の検知結果に応じて、第１スキャナー３９の固定状態を判定（詳細は後述）するとともに、表示部２５に、第１スキャナー３９が固定されている旨を示す情報（固定設定表示）を表示させ、また第１スキャナー３９が固定されていない旨を示す情報（固定解除表示）を表示させるものである。
【００５２】
また、位置管理部２３は、表示部２５に上記の固定に関する情報（固定設定表示または固定解除表示）を表示するとともに、第１スキャナー３９が固定されている場合（表示部２５が固定設定表示している場合）、駆動モーター２４の駆動をロック（駆動ロック）するようになっている（駆動モーター２４を駆動防止状態にするようになっている）。一方、第１スキャナー３９が固定されていない場合（表示部２５が固定解除表示している場合）、駆動のロックを解除するようになっている（駆動モーター２４を駆動可能状態にするようになっている）。
【００５３】
なお、位置管理部２３による第１スキャナーの固定状態の判定、および表示部２５・駆動モーター２４の制御は、画像読み取り装置６９による画像読み取り動作（スキャン動作）完了後、すなわち、スキャン動作管理部２２から、画像読み取り動作が完了した旨の情報を受信した後に開始されるようになっている。
【００５４】
ここで、位置管理部２３（制御部２１）が、固定部材１による第１スキャナー３９の固定状態を判定するとともに、表示部２５・駆動モーター２４を制御する方法について、図５〜図９を用いて説明する。
【００５５】
図６・図８は、位置管理部２３の判定の制御を示すフローチャートである。そして、図７・図９は、センサー７のセンサー光線Ｖが第１スキャナー３９の遮光板３６の位置に応じて変化する様子を示す説明図である。なお、図７・図９では、便宜上、遮光板３６とセンサー７の発光部７ａ・受光部７ｂを重点的に明示するとともに、遮光板３６を点線、ホームポジション（ＨＰ）を２点鎖線で示している。また、図７・図９の説明図で明示されない他の部材については、図１・図３・図４を参照するものとする。また、以下では、動作のステップをＳと記載して説明する。
【００５６】
まず、画像読み取り装置６９は、スキャンスタートボタンを押されると、画像の読み取りを開始する（Ｓ１１）。そして、画像の読み取りを完了（Ｓ１２）しようとすると、第１スキャナー３９（遮光板３６）はホームポジション、すなわちＸ方向に移動して、ホームポジション近傍に設けられているセンサー７に近づくようになる（図７（ａ）参照）。
【００５７】
そして、図７（ｂ）に示すように、遮光板３６（第１スキャナー３９）がホームポジションに到達すると、その遮光板３６によって、センサー光線Ｖが遮光されること（検知反応がＯＮ）になる（Ｓ１３）。その後、図７（ｃ）に示すように、サービスマン等が、固定部材１を固定設定方向（Ｐ方向）にスライドさせて、係合部３がランプキャリッジ３４（第１スキャナー３９）の突起部３５を挟持できるようにし、その第１スキャナー３９を固定する（Ｓ１４）。
【００５８】
すると、センサー７は、遮光板３６から離間する方向（固定設定方向；Ｐ方向）に移動したことになるので、センサー７の受光部７ｂは再びセンサー光線Ｖを受光すること（検知反応がＯＦＦ）になる（Ｓ１５、図７（ｃ）参照）。そして、このように一旦センサー光線Ｖが遮られた後、再度受光するようになると（検知反応が続けてＯＮ、ＯＦＦになると；Ｓ１３・Ｓ１５）、位置管理部２３（制御部２１）は、固定部材１によって、第１スキャナー３９が固定されたものと判定し、表示部２５に対して、第１スキャナー３９を固定した旨の表示（固定設定表示）をするようにし、さらに、駆動モーター２４に対して、駆動をロック（駆動ロック）する。
【００５９】
一方、位置管理部２３が、表示部２５に固定設定表示をし、駆動モーター２４を一旦ロックした後は、図９（ａ）に示すように、センサー７は、遮光板３６から離間した場所に位置することになる。そのため、センサー７の受光部７ｂは、センサー光線Ｖを受光している状態（検知反応はＯＦＦ状態）になっている（Ｓ２１）。
【００６０】
そして、サービスマン等が固定部材１を固定解除方向（Ｑ方向）にスライドさせると、固定部材１の係合部３が、ランプキャリッジ３４（第１スキャナー３９）の突起部３５から離間することになり、その第１スキャナー３９の固定が解除されることになる（Ｓ２２）。すると、図９（ｂ）に示すように、遮光板３６によってセンサー光線Ｖは遮光されること（検知反応がＯＮ）になる（Ｓ２３）。そして、このように一旦センサー光線Ｖを受光した後、再度遮られるようになると（検知反応が続けてＯＦＦ、ＯＮになると；Ｓ２１・Ｓ２３）、位置管理部２３（制御部２１）は、固定部材１による、第１スキャナー３９の固定が解除されたものと判定し、表示部２５に対して、第１スキャナー３９の固定を解除した旨を表示（固定解除表示）するようにし、さらに、駆動モーター２４に対して、駆動のロック（駆動ロック）を解除する（Ｓ２４）。
【００６１】
そして、駆動モーター２４の駆動ロックが解除された状態で、ユーザー等がスキャンスタートボタンを押すと、画像読み取り装置６９は画像の読み取りを開始する。すなわち、図９（ｃ）に示すように、第１スキャナー３９が走査移動し、遮光板３６が固定部材１から離間する方向（Ｙ方向）へと移動する。
【００６２】
以上のように、本発明の画像読み取り装置６９では、ハウジング５５に配設されるコンタクトガラス６１に沿って移動する第１スキャナー３９と、この第１スキャナー３９を移動させる駆動モーター２４とを含むように構成されており、この駆動モーター２４によって第１スキャナー３９がホームポジションに到達したとき、第１スキャナー３９の一部（ランプキャリッジ３４の突起部３５）に接触することで、第１スキャナー３９の移動を固定する固定部材１が、ハウジング５５に設けられている。そして、その固定部材１にはセンサー７が設けられており、そのセンサー７は、第１スキャナー３９がホームポジションに到達したか否かの検知と、第１スキャナー３９が固定されているか否かの検知とを行うようになっている。
【００６３】
その上、制御部２１が、センサー７の受光状態（検知反応のＯＮまたはＯＦＦ）を利用して、第１スキャナー３９がホームポジションに到達したか否かの判定と、第１スキャナー３９が固定されているか否かの判定とを行うようになっている。具体的には、検知反応がＯＮになったとき第１スキャナー３９がホームポジションに到達したものと判定し、検知反応がＯＦＦになったとき第１スキャナー３９がホームポジションに到達していないものと判定する。また、検知反応が続けてＯＮ、ＯＦＦになると、第１スキャナー３９の移動が固定されているものと判定し、検知反応が続けてＯＦＦ、ＯＮになると、第１スキャナー３９の移動が固定されていないものと判定する。
【００６４】
このように、ホームポジション近傍に設けた固定部材１にセンサー７を設けると、第１スキャナー３９がホームポジションに到達したことを検知できる。すなわち、センサー７の受光部７ｂがセンサー光線Ｖを受光できないときは（検知反応がＯＮのときは）、第１スキャナー３９はホームポジションに位置すると判定でき、受光部７ｂがセンサー光線Ｖを受光したときは（検知反応がＯＦＦになったときは）、第１スキャナー３９はホームポジションに到達していないと判定できる。そのため、第１スキャナー３９がホームポジションに到達したことを、サービスマン等が確認した後に、固定部材１で第１スキャナー３９を固定することができる。
【００６５】
その上、固定部材１はスライドすることで、第１スキャナー３９の一部と接触するようになり（挟持するようになり）、その第１スキャナー３９を固定する。そのため、固定部材１のスライドに応じて、センサー７も移動することになり、受光部７ｂの受光状態も変化する。つまり、上述のように、第１スキャナー３９を固定するときには、センサー光線Ｖが遮られる状態から受光する状態（検知反応が続けてＯＮ、ＯＦＦ）に変化する（図６のＳ１３〜Ｓ１５参照）。一方、第１スキャナー３９の固定が解除されるときには、センサー光線Ｖが受光している状態から遮られる状態（検知反応が続けてＯＦＦ、ＯＮ）に変化する（図８のＳ２２〜Ｓ２４参照）。そこで、このような受光状態の変化（２種類の検知反応（ＯＮ／ＯＦＦ）のタイミング）を利用して、第１スキャナー３９が固定されているか否かの判定する。
【００６６】
そのため、ユーザー等が第１スキャナー３９は固定されていることを確認した場合、画像読み取り装置６９のスキャン動作を行ってはならないことを認識できる。つまり、誤ってユーザー等が固定された第１スキャナー３９を無理に移動させようとし、駆動モーター２４に過剰な負荷をかけて破損させてしまうような事態を防止できる。
【００６７】
また、本発明の画像読み取り装置６９では、固定部材１に設けられた１つセンサー７で、第１スキャナー３９のホームポジションの位置検知と、その第１スキャナー３９の固定状態の検知とを行うことができる。つまり、１つのセンサー７が２つの検知機能を有するようになっている。
【００６８】
そのため、本発明の画像読み取り装置６９では、第１スキャナー３９の固定状態の検知のために別個の複雑な機構を有するセンサー等を設けることなく、１つのセンサー７で、第１スキャナー３９のホームポジション検知と、その第１スキャナー３９の固定状態の検知とを行うことができる。つまり、簡単な機構で第１スキャナー３９の固定状態を検知できるとともに、画像読み取り装置６９のコストの抑制も図れる。
【００６９】
また、従来の画像読み取り装置のように、ホームポジションとは別個で、第１スキャナー３９を固定するための固定位置にまで、その第１スキャナー３９を移動させる必要がなくなる。そのため第１スキャナー３９を固定させるために必要な行程（ホームポジションから固定位置までの移動行程）を削減することもできる。
【００７０】
また、固定状態の有無を判定するために、原稿を読み取らないにもかかわらず、例えば従来の画像読み取り装置のように、第１スキャナー３９の光照射部３１を発光させる必要はない。そのため、固定状態の有無の検知に要する消費電力を抑制することができるとともに、光照射部３１自体の寿命を引き延ばすこともできる。その上、固定部材１はあらかじめ、ハウジング５５の側壁５５ａに設けられている。そのため、例えばビスで直接、第１スキャナーをネジ止め固定するような画像読み取り装置に設けられているビス穴は存在しないことになる。その結果、ビス穴等からの異物混入等を防ぐこともできる。
【００７１】
また、本発明の画像読み取り装置６９では、第１スキャナー３９の移動が固定されているか否かに応じて、駆動モーター２４の駆動を制御する制御部２１（位置管理部２３）が設けられており、その制御部２１は、第１スキャナー３９が固定されているとき、駆動モーター２４を不動とする一方、第１スキャナー３９が固定されていないとき、駆動モーター２４を可動にするようになっている。
【００７２】
そのため、ユーザー等が、第１スキャナー３９が固定されているにもかかわらず、誤ってスキャンスタートボタンを押して、画像読み取り動作を行おうとしても、第１スキャナー３９が動くことはあり得ず、画像読み取り装置６９が破損する事態を防止できる。
【００７３】
また、本発明の画像読み取り装置６９では、第１スキャナー３９の移動が固定されているか否かを表示する表示部２５が設けられており、制御部２１（位置管理部２３）は、第１スキャナー３９が固定されているとき、表示部２５に第１スキャナー３９が固定されている旨を表示させる一方、第１スキャナー３９が固定されていないとき、表示部２５に第１スキャナー３９が固定されていない旨を表示させるようになっている。
【００７４】
そのため、ユーザー等は、スキャンスタートボタンを押す前に、第１スキャナー３９の状態（固定されているか否か）について、視覚で認識することができ、誤ってスキャンスタートボタンを押すというような事態を回避できる。
【００７５】
なお、本発明は上記の実施の形態に限定されず、本発明の趣旨を逸脱しない範囲で、種々の変更が可能である。例えば、画像読み取り装置に放音部（スピーカー）等を設け、第１スキャナー等が固定されているとき、誤ってスキャンスタートボタンを押した場合、警告音を発するようにしても構わない。また、センサー７が受光したことをもって、検知反応をＯＮとし、遮光されたことをもって、検知反応をＯＦＦと定義しても構わない。
【産業上の利用可能性】
【００７６】
本発明は、スキャナーを固定させる機構を有する画像読み取り装置に有用である。
【図面の簡単な説明】
【００７７】
【図１】本発明の画像読み取り装置に用いられる固定部材の斜視図である。
【図２】（ａ）は図１の矢視Ａ−Ａ’からの側面図であり、（ｂ）は図１の矢視Ｂ−Ｂ’からの側面図である。
【図３】本発明の画像読み取り装置の概略構成図である。
【図４】本発明の画像読み取り装置に用いられるランプキャリッジの斜視図である。
【図５】制御部のブロック図である。
【図６】制御部が、第１スキャナーを固定されているものと判定するとともに、表示部・駆動モーターの制御を示すフローチャートである。
【図７】第１スキャナーが固定されるときにおいて、センサー光線Ｖが変化する様子を示す説明図である。
【図８】制御部が、第１スキャナーを固定されていないものと判定するとともに、表示部・駆動モーターの制御を示すフローチャートである。
【図９】第１スキャナーの固定が解除されるときにおいて、センサー光線Ｖが変化する様子を示す説明図である。
【図１０】従来の画像読み取り装置の概略構成図である。
【符号の説明】
【００７８】
１    固定部材
３    係合部（固定部材）
７    センサー（検知部）
２１    制御部
２２    スキャン動作管理部（制御部）
２３    位置管理部（制御部）
２４    駆動モーター（動力部）
２５    表示部
３４    ランプキャリッジ（第１スキャナー）
３５    突起部（第１スキャナーの一部）
３６    遮光板
３９    第１スキャナー（スキャナー）
４９    第２スキャナー（スキャナー）
５５    ハウジング（筐体）
５５ａ  ハウジングの側壁
６１    コンタクトガラス
６９    画像読み取り装置
ＨＰ    ホームポジション
【図１】
2005221732.tif 000003
【図２】
2005221732.tif 000004
【図３】
2005221732.tif 000005
【図４】
2005221732.tif 000006
【図５】
2005221732.tif 000007
【図６】
2005221732.tif 000008
【図７】
2005221732.tif 000009
【図８】
2005221732.tif 000010
【図９】
2005221732.tif 000011
【図１０】
2005221732.tif 000012